(57)【要約】【課題】等利得合成方式の空間ダイバーシチ受信を行う無線機において、第１の空中線系または第２の空中線系で故障が発生したときに、故障している第１の空中線系または第２の空中線系を、故障していない第１の空中線系または第２の空中線系に自動的に振り分けを行う。【解決手段】  検出部３３が第２の空中線系５２の故障を検出すると、制御部４１は信号切替スイッチ６１を「ON」、信号切替スイッチ６２を「OＦＦ」、信号切替スイッチ６３を「OＮ」に切り替え、また電源切替スイッチ７１を「ON」、電源切替スイッチ７２を「OＦＦ」に切り替える。この結果、第１の受信部１３のみに電源が供給され、第１の空中線系５１の信号が信号処理部３０の第１入力部３１ａと第２入力部３１ｂの両方に出力され、信号処理部３０は第１入力部３１ａと第２入力部３１ｂから入力した第１の空中線系５１の信号を合成処理部３２で等利得合成処理を行い、復調部３４で復調する。【選択図】図１
2010245598.tif 000002
【特許請求の範囲】
【請求項１】
複数の空中線系の信号をダイバーシチ受信する無線機であって、
前記複数の空中線系からの受信信号を合成する合成処理部を備え、
前記空中線系のいずれかの前記受信信号を使用しないノンダイバーシチ受信を行うときに、使用する前記空中線系からの前記受信信号を、使用しない前記空中線系の受信信号に振り分け、前記合成処理部は信号の合成を行うことを特徴とする無線機。
【請求項２】
前記空中線系からの前記受信信号が所定レベル以下になったことを検出する検出部を備え、
前記検出部が前記空中線系のいずれかの前記受信信号が前記所定レベル以下になったことを検出したときは、前記所定レベルを満たす前記空中線系の信号を前記所定レベル以下となった前記空中線系の信号に振り分け、前記合成処理部が当該空中線系の前記受信信号を合成することを特徴とする請求項１に記載の無線機。
【発明の詳細な説明】
【技術分野】
【０００１】
本発明は、無線機に係り、特に複数の空中線系で受信可能な無線機に関する。
【背景技術】
【０００２】
近年の無線機は、信号品質を向上させるために空間ダイバーシチ受信がよく用いられている。空間ダイバーシチ受信には、複数のアンテナで受信した信号について、受信感度のよいアンテナを選択し選択したアンテナから信号を受信する選択合成方式、複数のアンテナから受信した信号を同相で合成し受信信号の品質を改善する等利得合成方式、複数のアンテナから受信した信号の品質に応じた重みづけして信号を合成することにより合成後の受信信号の品質を改善する最大比合成方式などがある。このような空間ダイバーシチ受信(以下、ダイバーシチ受信という)を行う無線機において、ダイバーシチ受信を行わない受信(以下、ノンダイバーシチ受信という)に切り換えて信号を受信することがある。例えば特許文献１では、送信部、第１の受信部、第２の受信部からなり送信と受信のタイミングが重なる複数スロットを用いて送受信を行う移動局のディジタル無線機において、送信部と第１の受信部とはアンテナ側で切り換え、第２の受信部は受信専用アンテナに接続され、アンテナを第１の受信部に切り替えているときには、第１の受信部と第２の受信部からのダイバーシチ受信を行い、またアンテナを送信部に切り替えているときには、第２の受信部のみからのノンダイバーシチ受信とすることで、複信機能を可能としたＴＤＭＡ方式のディジタル無線機を提供している。
【先行技術文献】
【特許文献】
【０００３】
【特許文献１】特開２０００−２２４０８５号公報
【発明の概要】
【発明が解決しようとする課題】
【０００４】
しかし、特許文献１に開示されたディジタル無線機がダイバーシチ受信のときに、第１の信号を受信する側(以下、第１の空中線系という)または第２の信号を受信する側(以下、第２の空中線系という)で受信信号が所定のレベル以下となるような故障が発生すると、自動的に故障が発生していない第１の空中線系または第２の空中線系のノンダイバーシチ受信への切り替えを行うことが出来ないので、受信信号の品質が劣化してしまう問題があった。また、ノンダイバーシチ受信を行う場合、１つの空中線系しか使用しないため使用していない空中線系にノイズが入力され受信信号の品質が劣化するという問題があった。
【０００５】
本発明はこのような状況に鑑みてなされたものであり、下記課題を解決できる無線機を提供することを目的とする。
（１）等利得合成ダイバーシチ受信が可能な無線機において、アンテナの設置環境によりノンダイバーシチ受信を行う場合、一つの受信系(空中線)しか使用しないこととなる。このため、使用しない受信系にノイズが入力され、等利得合成した場合にノイズの量が２倍となることで、ノンダイバーシチ受信時の通信品質が劣化する。
（２）ダイバーシチ受信時には片方の空中線系が故障した場合も同様に通信品質が劣化してしまい、それに伴い、スケルチが閉じにくくなるなどの弊害が生じる。
（３）ダイバーシチで使用する際、等利得合成処理では第１および第２の空中線系の受信信号が同じ割合で合成されるため、両方の受信性能が等しければ最大のダイバーシチゲインがえられるが、片方の空中線系の通信品質が悪いと合成後のＳ／Ｎが悪化し、通信品質が劣化してしまう。そこで片方ずつの空中線系の受信性能を検査する必要があるが、片方の受信系のみであると、上述の通り、測定していない系からのノイズが重畳するため、正確な性能が取得不可能となり、片方ずつ検査出来ない。
【課題を解決するための手段】
【０００６】
本発明の無線機は、複数の空中線系の信号をダイバーシチ受信する無線機であって、前記複数の空中線系からの受信信号を合成する合成処理部を備え、前記空中線系のいずれかの前記受信信号を使用しないノンダイバーシチ受信を行うときに、使用する前記空中線系からの前記受信信号を、使用しない前記空中線系の受信信号に振り分け、前記合成処理部は信号の合成を行うことを特徴としている。
また、本発明の無線機は、前記空中線系からの前記受信信号が所定レベル以下になったことを検出する検出部を備え、前記検出部が前記空中線系のいずれかの前記受信信号が前記所定レベル以下になったことを検出したときは、前記所定レベルを満たす前記空中線系の信号を前記所定レベル以下となった前記空中線系の信号に振り分け、前記合成処理部が当該空中線系の前記受信信号を合成することを特徴としている。
【発明の効果】
【０００７】
本発明は複数の空中線系において、故障が発生していない空中線系の信号を、受信信号が所定レベル以下となるような故障が発生した空中線系の信号に振り分けることで、受信信号の品質劣化を防ぐことができる。
【図面の簡単な説明】
【０００８】
【図１】本発明の実施の形態に係る無線機の送受信における機能部位を示す機能ブロック図である。
【図２】本発明の実施の形態に係るダイバーシチ受信とノンダイバーシチ受信における切替スイッチ状態と受信部との対応を示すテーブルである。
【図３】本発明の実施の形態に係るダイバーシチ受信による信号の流れを示す図である。
【図４】本発明の実施の形態に係る第１の空中線系のノンダイバーシチ受信による信号の流れを示す図である。
【図５】本発明の実施の形態に係る第２の空中線系のノンダイバーシチ受信による信号の流れを示す図である。
【図６】本発明の実施の形態に係る第３の空中線系を備えた無線機の送受信における機能部位を示す機能ブロック図である。
【発明を実施するための形態】
【０００９】
以下、本発明の実施の形態について図面を参照して説明する。
（実施の形態）
図１は、本発明の実施形態に係る無線機の送受信における機能部位を示す機能ブロック図である。図１に示す無線機１０の各機能部位について説明する。無線機１０は、送受信部５０、受信信号切替部６０、信号処理部３０、制御部４１、局部発振部４２、及び表示部４６から構成されている。
【００１０】
まず、送受信部５０を構成する機能部位について説明する。送受信部５０は、第１の空中線系５１、第２の空中線系５２、電源切替部７０、電源切替スイッチ７１、電源切替スイッチ７２、送信部４４、及び変調部４５から構成されている。
【００１１】
第１の空中線系５１は、第１のアンテナ１１、第１のフィルタ１２、送受信切替スイッチ４３、第１の受信部１３、及び性能調整部４７から構成されている。第１のアンテナ１１は、空中からの電波を高周波信号に変換（受信）または高周波信号を電波として空中に放射（送信）する部位である。第１のフィルタ１２は、第１のアンテナ１１から入力した高周波信号または第１のアンテナ１１に出力する高周波信号に対して帯域制限などの処理を行う部位である。送受信切替スイッチ４３は、第１のフィルタ１２からの信号を、第１の受信部１３または送信部４４のいずれかに切り替えを行う部位である。第１の受信部１３は、第１のアンテナ１１からの高周波信号を第１のフィルタ１２を経由して入力し、局部発振部４２から供給される局部発振信号に基づいて高周波信号の周波数変換処理を行い、変換した信号を性能調整部４７に出力する部位である。性能調整部４７は、制御部４１からの制御により可変抵抗器４８の抵抗値を制御しアンプの増幅度を変化させることで、第１の空中線系５１の受信性能が第２の空中線系５２の受信性能と等しくなるように調整した信号を、受信信号切替部６０に出力する部位である。
【００１２】
第２の空中線系５２は、第２のアンテナ２１、第２のフィルタ２２、及び第２の受信部２３から構成されている。第２のアンテナ２１は、空中からの電波を高周波信号に変換（受信）する部位である。第２のフィルタ２２は、第２のアンテナ２１から入力した高周波信号に対して帯域制限などの処理を行う部位である。第２の受信部２３は、第２のアンテナ２１からの高周波信号を第２のフィルタ２２を経由して入力し、局部発振部４２から供給される局部発振信号に基づいて高周波信号の周波数変換処理を行い、変換した信号を受信信号切替部６０に出力する部位である。
【００１３】
送信部４４は、変調部４５から信号を入力し、第１のフィルタ１２を経由して第１のアンテナ１１に信号を送信する部位である。変調部４５は、信号処理部３０から出力された信号を送信するために周波数などの変換を行う部位である。電源切替部７０は、第１の受信部１３と第２の受信部２３への電源の供給と停止を切り替える部位で、制御部４１からの制御により切り替えを行う。電源切替スイッチ７１は、第１の受信部１３と電源切替部７０とを接続するスイッチで、電源切替部７０からの指令により開閉を行う。電源切替スイッチ７２は、第２の受信部２３と電源切替部７０とを接続するスイッチで、電源切替部７０からの指令により開閉を行う。
【００１４】
受信信号切替部６０は、信号切替スイッチ６１、信号切替スイッチ６２、及び信号切替スイッチ６３から構成されている。信号切替スイッチ６１は、第１の空中線系５１と信号処理部３０とを接続するスイッチで、制御部４１からの制御により開閉を行う。信号切替スイッチ６２は、第２の空中線系５２と信号処理部３０とを接続するスイッチで、制御部４１からの制御により開閉を行う。信号切替スイッチ６１、信号切替スイッチ６２は、ダイバーシチ受信のときはともにオンされ、ノンダイバーシチ受信のときは受信側のスイッチのみオンする。信号切替スイッチ６３は、ダイバーシチ受信のときオフ、ノンダイバーシチ受信のときにオンに切り替えるためのスイッチで、制御部４１からの制御により開閉を行う。
【００１５】
信号処理部３０は、第１入力部３１ａ、第２入力部３１ｂ、合成処理部３２、検出部３３、復調部３４から構成されている。第１入力部３１ａは、受信信号切替部６０の切り替えにより第１の空中線系５１からの信号または第２の空中線系５２からの信号を入力する部位である。第２入力部３１ｂは、受信信号切替部６０の切り替えにより第２の空中線系５２からの信号または第１の空中線系５１からの信号を入力する部位である。合成処理部３２は、第１入力部３１ａと第２入力部３１ｂから入力する信号を等利得合成処理する部位である。検出部３３は、無線機１０がダイバー受信のときに第１入力部３１ａからの信号と第２入力部３１ｂからの信号の電圧値を監視し、第１入力部３１ａの電圧値が所定値以下、例えばノイズ程度の大きさであれば第１の空中線系５１に故障が発生したと判断し、また第２入力部３１ｂの電圧値が所定値以下、例えばノイズ程度の大きさであれば第２の空中線系５２に故障が発生したと判断し、制御部４１に通知する部位である。復調部３４は、合成処理部３２から信号を入力し復調する部位である。
【００１６】
制御部４１は、ＭＰＵ（Micro Processing Unit）を含み無線機１０全体を制御する部位で、特に性能調整部４７の可変抵抗器４８に対する抵抗値制御、電源切替部７０に対する切り替え制御、受信信号切替部６０に対する切り替え制御、局部発振部４２に対する局部発振信号の供給制御を行う。局部発振部４２は、周波数シンセサイザであって、制御部４１から制御により第１の受信部１３と第２の受信部２３の周波数変換処理に必要な局部発振信号を供給する部位である。表示部４６は、制御部４１からの制御によりダイバーシチ受信の第１の空中線系５１または第２の空中線系５２に故障が発生したときに、第１の空中線系５１または第２の空中線系５２の故障をアラームとして表示する部位である。
【００１７】
図２は、ダイバーシチ受信とノンダイバーシチ受信における切替スイッチ状態を示すテーブルである。図２のテーブルに示すように、受信形態としてダイバーシチ受信、第１のノンダイバーシチ受信、及び第２のノンダイバーシチ受信がある。このダイバーシチ受信、第１のノンダイバーシチ受信、及び第２のノンダイバーシチ受信における受信信号切替部６０の信号切替スイッチの状態、電源切替部７０の電源切替スイッチの状態がテーブルに設定されている。
ダイバーシチ受信は、第１の空中線系５１と第２の空中線系５２から信号を入力し合成する受信形態である。ダイバーシチ受信を実施するためには、図２に示すように信号切替スイッチ６１を「ON」、信号切替スイッチ６２を「ON」、信号切替スイッチ６３を「OＦＦ」に切り替える。また、第１の受信部１３と第２の受信部２３の電源を供給するために、図２に示すように電源切替スイッチ７１を「ON」、電源切替スイッチ７２を「ON」に切り替える。
第１のノンダイバーシチ受信は、第１の空中線系５１のみから信号を入力する受信形態である。第１のノンダイバーシチ受信を実施するためには、図２に示すように信号切替スイッチ６１を「ON」、信号切替スイッチ６２を「OＦＦ」、信号切替スイッチ６３を「OＮ」に切り替える。また、第１の受信部１３のみに電源を供給するために、図２に示すように電源切替スイッチ７１を「ON」、電源切替スイッチ７２を「OＦＦ」に切り替える。
第２のノンダイバーシチ受信は、第２の空中線系５２のみから信号を入力する受信形態である。第２のノンダイバーシチ受信を実施するためには、図２に示すように信号切替スイッチ６１を「OＦＦ」、信号切替スイッチ６２を「OＮ」、信号切替スイッチ６３を「OＮ」に切り替える。また、第２の受信部２３のみに電源を供給するために、図２に示すように電源切替スイッチ７１を「OＦＦ」、電源切替スイッチ７２を「OＮ」に切り替える。
【００１８】
次に無線機１０の第１の空中線系５１と第２の空中線系５２によるダイバーシチ受信の信号の流れを図３を参照して説明する。無線機１０においてダイバーシチ受信を行う場合は、送受信切替スイッチ４３は受信側（第１の受信部１３側）に切り替えられ、また受信信号切替部６０の信号切替スイッチと電源切替部７０の電源切替スイッチは図２に示すダイバーシチ受信の信号切替スイッチと電源切替スイッチの状態となっている。以下がダイバーシチ受信における信号の処理手順である。
電源切替部７０の電源切替スイッチ７１が「ON」となると、第１の空中線系５１の第１の受信部１３に電源が供給され、第１の受信部１３は第１のアンテナ１１が受信した信号を第１のフィルタ１２を経由して入力し、性能調整部４７を経由して受信信号切替部６０に出力する。また、電源切替部７0の電源切替スイッチ７２が「ON」となると、第２の空中線系５２の第２の受信部２３に電源が供給され、第２の受信部２３は第２のアンテナ２１が受信した信号を第２のフィルタ２２を経由して入力し、受信信号切替部６０に出力する。ダイバーシチ受信では、受信信号切替部６０の信号切替スイッチ６１は「ON」、信号切替スイッチ６２は「ON」、信号切替スイッチ６３は「OＦＦ」となるので、第１の空中線系５１の信号は信号処理部３０の第１入力部３１ａに出力され、また第２の空中線系５２の信号は信号処理部３０の第２入力部３１ｂに出力される。信号処理部３０は、第１入力部３１ａから入力した第１の空中線系５１の信号と、第２入力部３１ｂから入力した第２の空中線系５２の信号を、合成処理部３２で等利得合成処理を行い、復調部３４で復調する。
【００１９】
次に無線機１０の第１の空中線系５１によるノンダイバーシチ受信に切り替えられたときの信号の流れを図４を参照して説明する。信号処理部３０の検出部３３が第２の空中線系５２からの信号の電圧値の異常を検出すると制御部４１に通知する。制御部４１は、受信信号切替部６０の信号切替スイッチと電源切替部７０の電源切替スイッチを図２に示す第１のノンダイバーシチ受信の信号切替スイッチと電源切替スイッチの状態に切り替えを行う。以下が第１のダイバーシチ受信の信号の処理手順である。
電源切替部７０の電源切替スイッチ７１が「ON」となると、第１の空中線系５１の第１の受信部１３に電源が供給され、第１の受信部１３は、第１のアンテナ１１が受信した信号を第１のフィルタ１２を経由して入力し、性能調整部４７を経由して受信信号切替部６０に出力する。電源切替部７０の電源切替スイッチ７２が「OＦＦ」となると、第２の空中線系５２の第２の受信部２３に電源が供給されないので、第２の受信部２３は信号の受信処理は行わない。また、第１のノンダイバーシチ受信の切替スイッチ状態では、受信信号切替部６０の信号切替スイッチ６１は「ON」、信号切替スイッチ６２は「OＦＦ」、信号切替スイッチ６３は「OＮ」となっているので、第１の受信部１３の信号は信号処理部３０の第１入力部３１ａと第２入力部３１ｂの両方に出力される。この結果、信号処理部３０は、第１入力部３１ａから入力した第１の空中線系５１の信号と、第２入力部３１ｂから入力した第１の空中線系５１の信号を、合成処理部３２で等利得合成処理を行い、復調部３４で復調する。
【００２０】
次に無線機１０の第２の空中線系５２によるノンダイバーシチ受信に切り替えられたときの信号の流れを図５を参照して説明する。信号処理部３０の検出部３３が第１の空中線系５１からの信号の電圧値の異常を検出すると制御部４１に通知する。制御部４１は、受信信号切替部６０の信号切替スイッチと電源切替部７０の電源切替スイッチを図２に示す第２のノンダイバーシチ受信の信号切替スイッチと電源切替スイッチの状態に切り替えを行う。以下が第２のダイバーシチ受信の信号の処理手順である。
電源切替部７０の電源切替スイッチ７２が「ON」となると、第２の空中線系５２の第２の受信部２３に電源が供給され、第２の受信部２３は、第２のアンテナ２１が受信した信号を第２のフィルタ２２を経由して入力し、受信信号切替部６０に出力する。電源切替部７０の電源切替スイッチ７１が「OＦＦ」となると、第１の空中線系５１の第１の受信部１３に電源が供給されないので、第１の受信部１３は信号の受信処理は行わない。また、第２のノンダイバーシチ受信の切替スイッチ状態では、受信信号切替部６０の信号切替スイッチ６１は「OＦＦ」、信号切替スイッチ６２は「OＮ」、信号切替スイッチ６３は「OＮ」となっているので、第２の受信部２３の信号は信号処理部３０の第１入力部３１ａと第２入力部３１ｂの両方に出力される。この結果、信号処理部３０は、第１入力部３１ａから入力した第２の空中線系５２の信号と、第２入力部３１ｂから入力した第２の空中線系５２の信号を、合成処理部３２で等利得合成処理を行い、復調部３４で復調する。
【００２１】
本発明の実施の形態では、受信信号切替部６０を信号処理部３０の前に配置した構成としたが、受信信号切替部６０を信号処理部３０の内部に設けるようにすることも可能である。
【００２２】
また、本発明の実施の形態において、無信号時に無音状態とするスケルチの、ダイバーシチ受信、第１のノンダイバーシチ受信、及び第２のノンダイバーシチ受信のそれぞれのスケルチデータを不揮発性メモリなどに記憶しておき、ダイバーシチ受信、第１のノンダイバーシチ受信または第２のノンダイバーシチ受信の際上記記憶されたスケルチデータを取り出し、このスケルチデータを設定することで、それぞれの受信状態における最適なスケルチデータで通信障害などを防止することが可能となる。
【００２３】
また、本発明の実施の形態において、無線機１０に操作設定部を設け、ユーザがこの操作設定部からダイバーシチ受信から第１のノンダイバーシチ受信の切り替え、ダイバーシチ受信から第２のノンダイバーシチ受信の切り替え、更に第１のノンダイバーシチ受信から第２のノンダイバーシチ受信の切り替え、第２のノンダイバーシチ受信から第１のノンダイバーシチ受信の切り替えの設定を行うことも可能である。ユーザがこの操作設定部から切り替えの設定を行うと制御部４１に通知され、制御部４１は信号切替スイッチと電源切替スイッチをユーザが設定した切り替え状態となるように変更する。このように手動で切り替えを行うことができるので、第１の空中線系５１や第２の空中線系５２が使用されないようにして、第１の空中線系５１や第２の空中線系５２の部位の調整や性能検査を容易に実施することができる。
【００２４】
以上のように、本実施の形態によれば、等利得合成方式のダイバーシチ受信を行う無線機において、第１の空中線系５１や第２の空中線系５２の故障を検出し、自動的にダイバーシチ受信からノンダイバーシチ受信への切り替えを行うことができるので、故障が発生していない空中線系の信号のみを等利得合成することで信号品質の劣化を防ぐ。また、故障が発生した空中線系の受信部に電源を供給しないようにするので、消費電力を低減できる。また第１の空中線系５１、第２の空中線系５２の調整や性能検査を、ノンダイバーシチ受信の手動切り替えにより容易に行うことができる。
【００２５】
本発明の実施の形態においては、第１の空中線系５１と第２の空中線系５２の２つの空中線系を備えた無線機１０を用いて説明を行ったが、３つ以上の複数の空中線系から受信が可能な無線機についても同様にダイバーシチ受信とノンダイバーシチ受信を切り替えることができる。例えば、図６に示すように第１の空中線系５１と第２の空中線系５２の他に、更に第３の空中線系８０を備えた無線機１０において、信号切替スイッチ６１、信号切替スイッチ６２、及び信号切替スイッチ６４を「OＮ」、信号切替スイッチ６３と信号切替スイッチ６５を「OＦＦ」とすることで、第１の空中線系５１、第２の空中線系５２、及び第３の空中線系８０の信号を等利得合成するダイバーシチ受信となる。また、第１の空中線系５１が送信側に切り替えられ、第２の空中線系５２が故障したときは、信号切替スイッチ６１と信号切替スイッチ６２を「OＦＦ」、信号切替スイッチ６３、信号切替スイッチ６４、及び信号切替スイッチ６５を「OＮ」とすることで、第３の空中線系８０によるノンダイバーシチ受信に切り替えることができる。また、本発明の実施の形態においては、等利得合成方式を用いて説明を行ったが、信号を受信している空中線系についての選択合成方式や最大比合成方式を適用することも可能である。例えば、３つの空中線系から信号を受信し、そのうち１つの空中線系の受信信号が所定レベル以下になったときに、最も良いレベルの空中線系の受信信号を所定レベル以下となった空中線系の受信信号に振り分けることが可能である。更に、３つの空中線系から信号を受信し、そのうち２つの空中線系の受信信号が所定レベル以下になったときに、所定レベルを満たす空中線系の受信信号を所定レベル以下となった２つの空中線系の受信信号に振り分けることも可能である。
【００２６】
以上、具体的な実施の形態により本発明を説明したが、上記実施の形態は本発明の例示であり、この実施の形態に限定されないことは言うまでもない。
【００２７】
以上をまとめると、本発明は次のような特徴を有する。
(１)．本発明の無線機は、複数の空中線系の信号をダイバーシチ受信する無線機であって、前記複数の空中線系からの受信信号を合成する合成処理部を備え、前記空中線系のいずれかの前記受信信号を使用しないノンダイバーシチ受信を行うときに、使用する前記空中線系からの前記受信信号を、使用しない前記空中線系の受信信号に振り分け、前記合成処理部は信号の合成を行うことを特徴としている。
(２)．（１）の無線機は、前記空中線系からの前記受信信号が所定レベル以下になったことを検出する検出部を備え、前記検出部が前記空中線系のいずれかの前記受信信号が前記所定レベル以下になったことを検出したときは、前記所定レベルを満たす前記空中線系の信号を前記所定レベル以下となった前記空中線系の信号に振り分け、前記合成処理部が当該空中線系の前記受信信号を合成することを特徴としている。
(３)．（１）または（２）の無線機の前記合成処理部は、等利得合成で前記受信信号を合成することを特徴としている。
(４)．（１）から（３）のいずれかの無線機は、使用しない前記空中線系の受信部への電源供給を遮断することを特徴としている。
(５)．（２）から（４）のいずれかの無線機は、アラームを表示する表示器を備え、前記検出部により前記空中線系からの受信信号が所定レベル以下になったときは前記表示器に前記アラームを表示することを特徴としている。
(６)．（１）から（５）のいずれかの無線機は、ダイバーシチ受信とノンダイバーシチ受信のスケルチデータを記憶する記憶手段を備え、ダイバーシチ受信からノンダイバーシチ受信に切り替わったときに前記記憶手段からノンダイバーシチ受信のスケルチデータを取り出し、ノンダイバーシチ受信からダイバーシチ受信に切り替わったときに前記記憶手段からダイバーシチ受信のスケルチデータを取り出し、前記無線機に設定することを特徴としている。
(７)．（１）から（６）のいずれかの無線機は、操作が設定される操作設定部を備え、前記操作設定部に基づいてダイバーシチ受信とノンダイバーシチ受信の切り替えが行われることを特徴としている。
(８)．本発明の複数の空中線系の信号をダイバーシチ受信する無線機の信号合成方法は、前記複数の空中線系からの受信信号を合成する合成処理工程を備え、前記空中線系のいずれかの前記受信信号を使用しないノンダイバーシチ受信を行うときに、使用する前記空中線系からの前記受信信号を、使用しない前記空中線系の受信信号に振り分け、前記合成処理工程は信号の合成を行うことを特徴としている。
(９)．（８）の信号合成方法は、前記空中線系からの前記受信信号が所定レベル以下になったことを検出する検出工程を備え、前記検出工程が前記空中線系のいずれかの前記受信信号が前記所定レベル以下になったことを検出したときは、前記所定レベルを満たす前記空中線系の信号を前記所定レベル以下となった前記空中線系の信号に振り分け、前記合成処理工程が当該空中線系の前記受信信号を合成することを特徴としている。
【産業上の利用可能性】
【００２８】
本発明は、無線機に好適であるが、無線機に限られるものではなく、複数の信号を入力し、合成処理などを行っている機器一般に適用可能である。
【符号の説明】
【００２９】
１０・・・・・・・・無線機
１１・・・・・・・・第１のアンテナ
１２・・・・・・・・第１のフィルタ
１３・・・・・・・・第１の受信部
２１・・・・・・・・第２のアンテナ
２２・・・・・・・・第２のフィルタ
２３・・・・・・・・第２の受信部
３０・・・・・・・・信号処理部
３１ａ・・・・・・・第１入力部
３１ｂ・・・・・・・第２入力部
３１ｃ・・・・・・・第３入力部
３２・・・・・・・・合成処理部
３３・・・・・・・・検出部
３４・・・・・・・・復調部
４１・・・・・・・・制御部
４２・・・・・・・・局部発振部
４３・・・・・・・・送受信切替スイッチ
４４・・・・・・・・送信部
４５・・・・・・・・変調部
４６・・・・・・・・表示部
４７・・・・・・・・性能調整部
４８・・・・・・・・可変抵抗器
５０・・・・・・・・送受信部
５１・・・・・・・・第１の空中線系
５２・・・・・・・・第２の空中線系
６０・・・・・・・・受信信号切替部
６１・・・・・・・・信号切替スイッチ
６２・・・・・・・・信号切替スイッチ
６３・・・・・・・・信号切替スイッチ
６４・・・・・・・・信号切替スイッチ
６５・・・・・・・・信号切替スイッチ
７０・・・・・・・・電源切替部
７１・・・・・・・・電源切替スイッチ
７２・・・・・・・・電源切替スイッチ
８０・・・・・・・・第３の空中線系
８１・・・・・・・・第３のアンテナ
８２・・・・・・・・第３のフィルタ
８３・・・・・・・・第３の受信部
【図１】
2010245598.tif 000003
【図２】
2010245598.tif 000004
【図３】
2010245598.tif 000005
【図４】
2010245598.tif 000006
【図５】
2010245598.tif 000007
【図６】
2010245598.tif 000008